(57)【要約】【課題】商品を購入した顧客を仮想店舗での商品販売に参加させることで、商品の販売促進を図るようにした商品販売システムを提案する。【解決手段】商品を購入した顧客５に、その商品を着用して撮った自画写真を募集していることを知らせ、これを受けて顧客５が自画写真の掲載に応募した場合、その自画写真を仮想店舗に掲載する。係る構成の商品販売システムによれば、自画写真をインターネット３を介して仮想店舗上に掲載するという簡単かつ安価な手法によって商品の販売促進が図られる。【選択図】図１
2013114665.tif 000002
【特許請求の範囲】
【請求項１】
商品の販売者が管理する販売者端末（１）と顧客が管理する顧客端末（２）とをインターネット（３）を介して接続し、上記顧客端末（２）から入力される商品の注文に係る情報を上記販売者端末（１）で受けて該情報に対応する商品を顧客に引き渡すようにした商品販売システムであって、
上記販売者端末（１）には、インターネット（３）上に仮想店舗を展開するサーバ（１１）と顧客に関する情報を管理する顧客情報管理手段（１２）と上記仮想店舗における商品に関する情報を管理する商品情報管理手段（１３）を備えるとともに、上記顧客情報管理手段（１２）は、商品を購入した顧客（５）が当該商品を着用して撮影した自画写真を募集する自画写真募集機能と、上記顧客（５）から受領した自画写真を上記仮想店舗に掲載する自画写真掲載機能を備え、上記仮想店舗に掲載された上記自画写真の有する宣伝広告機能を利用して上記商品の販売促進を図ることを特徴とする商品販売システム。
【請求項２】
請求項１において、
上記顧客情報管理手段（１２）が、仮想店舗に掲載される商品の着用モデルを自画写真の募集に応募した顧客（５）の中から採用するモデル募集機能を備えたことを特徴とする商品販売システム。
【請求項３】
請求項１又は２において、
上記仮想店舗に自画写真を掲載した顧客（５）に該仮想店舗に掲載された商品の購入にのみ使用できる商品券を贈呈することを特徴とする商品販売システム。
【発明の詳細な説明】
【技術分野】
【０００１】  本願発明は、インターネット上の仮想店舗において商品、特に衣類を販売するための商品販売システムに関するものである。
【背景技術】
【０００２】  インターネット上の仮想店舗において商品を販売する販売システムについては、従来から種々のシステムが提案されている（例えば、特許文献１〜３参照）が、これら従来の販売システムは、インターネット上の仮想店舗で販売商品を公開し、この公開された販売商品を閲覧した顧客からの商品購入注文を受けて当該商品を顧客に発送するものである。
【先行技術文献】
【特許文献】
【０００３】
【特許文献１】  特開２００２−１６９７９号公報
【特許文献２】  特開２００２−１５２１９号公報
【特許文献３】  特開２００２−１８３５０２号公報
【発明の概要】
【発明が解決しようとする課題】
【０００４】  ところで、このような従来の商品販売システムは、仮想店舗上で商品の販売者と商品を購入する顧客を引き合わせて商品を売買するものであって、地域的あるいは時間的な制約を受けずに商品売買が行えるという利点があるものの、商品の販売者と顧客という二者関係を前提とした商品売買形態であることから、商品の販売促進には、例えば、商品アイテムの多様化とか、他店商品との差別化等を図ることに依らざるを得ず、自ずと限界がある。【０００５】  そこで本願発明は、商品を購入した顧客を仮想店舗での商品販売に参加させることで、商品の販売促進を図るようにした商品販売システムを提案することを目的としてなされたものである。
【課題を解決するための手段】
【０００６】  本願発明ではかかる課題を解決するための具体的手段として次のような構成を採用している。【０００７】  本願の第１の発明では、商品の販売者が管理する販売者端末１と顧客が管理する顧客端末２とをインターネット３を介して接続し、上記顧客端末２から入力される商品の注文に係る情報を上記販売者端末１で受けて該情報に対応する商品を顧客に引き渡すようにした商品販売システムにおいて、上記販売者端末１に、インターネット３上に仮想店舗を展開するサーバ１１と顧客に関する情報を管理する顧客情報管理手段１２と上記仮想店舗における商品に関する情報を管理する商品情報管理手段１３を備えるとともに、上記顧客情報管理手段１２は、商品を購入した顧客５が当該商品を着用して撮影した自画写真を募集する自画写真募集機能と、上記顧客５から受領した自画写真を上記仮想店舗に掲載する自画写真掲載機能を備え、上記仮想店舗に掲載された上記自画写真の有する宣伝広告機能を利用して上記商品の販売促進を図ることを特徴としている。【０００８】  本願の第２の発明では、上記第１の発明に係る商品販売システムにおいて、上記顧客情報管理手段１２が、仮想店舗に掲載される商品の着用モデルを自画写真の募集に応募した顧客５の中から採用するモデル募集機能を備えたことを特徴としている。【０００９】  本願の第３の発明では、上記第１又は第２の発明に係る商品販売システムにおいて、上記仮想店舗に自画写真を掲載した顧客５に該仮想店舗に掲載された商品の購入にのみ使用できる商品券を贈呈することを特徴としている。
【発明の効果】
【００１０】  （１）本願発明に係る商品販売システムによれば、商品を購入した顧客５に、その商品を着用して撮った自画写真を募集していることを知らせ、これを受けて顧客５が応募した場合、その自画写真を仮想店舗に掲載するものである。即ち、商品を購入した顧客を、仮想店舗への自画写真の掲載という形で商品販売に参加させるものである。この場合、顧客５側においては、自分が気に入って購入した商品を自分が着てその美麗さを、しかもできるだけ多くの人に見せたい、という欲望心理が働くが、この欲望が、自画写真を全世界的な配信エリアのインターネット３を介して仮想店舗上に掲載することによって満たされることから、顧客５においては購入商品に対する満足感が得られ、次回の商品購入意欲が高められ、延いては販売者４側において商品の販売促進が図られる。【００１１】  （２）仮想店舗上に自画写真が掲載された上記顧客５がその事実を友人知人に知らせることで、これら友人知人を介して仮想店舗上に自画写真を掲載できることが口コミで宣伝され、上記仮想店舗の訪問人数が飛躍的に増加するとともに、自画写真を掲載することを目的とした商品購入が促進され、これらの相乗作用によって商品の販売促進が図られる。【００１２】  （３）上記自画写真が仮想店舗上に掲載されることで、この被写体たる上記顧客５自身が仮想店舗を訪れる多くの人の目に触れ、自画写真に写った顧客５の個性が次第に認知されることになり、例えば顧客５がモデル志望である場合にはモデルとしての成長を支援することができる。そして、この顧客５がモデルとして成長するに伴って、この顧客５の自画写真を掲載している上記仮想店舗への訪問者の増加も期待でき、延いては商品の販売促進が図られる。【００１３】  （４）販売者４側においては、購入商品を着用した顧客５の自画写真を仮想店舗に掲載することで該自画写真が広告宣伝媒体として機能することから、格別な広告宣伝媒体を用意する必要が少なく、販売コストの低減が図れるとともに、資金的な余裕を新たな商品開発等に振り向けることができ、結果的に商品の販売促進が図られる。【００１４】  （６）上記仮想店舗に掲載される商品の着用モデルを、自画写真の募集に応募した顧客５の中から採用するようにすれば、モデル志望の顧客５の取り込みが容易となり商品の販売促進が図られるとともに、モデルとして採用された者にあっては、その者の商品着用写真が仮想店舗に掲載されこれがインターネット３を介して全国的に配信されることでモデルとしての認知度が早期に高められ、その育成が図られることになる。【００１５】  （５）仮想店舗に自画写真を掲載した顧客５に該仮想店舗に掲載された商品の購入にのみ使用できる商品券を贈呈することで、該顧客５による商品の再購入が促進され、延いては商品の販売促進が図られる。
【図面の簡単な説明】
【００１６】
【図１】  本願発明の実施の形態に係る商品販売システムの機能ブロック図である。
【発明を実施するための形態】
【００１７】  以下、本願発明を好適な実施形態に基づいて具体的に説明する。
【００１８】  図１には、本願発明の実施形態に係る衣類の販売を目的とした商品販売システムを示している。この商品販売システムは、販売者４によって管理される販売者端末１と顧客５によって管理される多数の顧客端末２、２、・・をインターネット３によって接続して構成される。
【００１９】  上記販売者端末１は、インターネット３上に仮想店舗を展開するサーバ１１と、顧客に関する情報を管理する顧客情報管理手段１２と、上記仮想店舗における商品に関する情報を管理する商品情報管理手段１３を備える。
【００２０】  上記顧客情報管理手段１２は、顧客５の氏名、住所等の個人情報を管理する個人情報管理機能を備えることは勿論であるが、これに加えて、商品を購入した顧客５が当該商品を着用して撮影した自画写真を募集する自画写真募集機能と、上記顧客５から受領した自画写真を上記仮想店舗に掲載する自画写真掲載機能をも備えるものである。なお、上記自画写真は、本来的には、顧客５が仮想店舗から購入した商品をこの顧客５が自ら着用して撮影した写真を想定しているが、これに限定されるものではなく、例えば、商品を購入した顧客５以外の者が該顧客５からこの購入商品を借りて着用し、これを撮影した写真等も含まれる。
【００２１】  ここで、上記商品販売システムを利用した商品（衣類）の販売を具体的に説明する。
【００２２】  顧客５は、顧客端末２から販売者端末１にアクセスし、仮想店舗における商品情報を閲覧する。そして、閲覧の結果、購入したいと思う商品が見つかった場合、顧客５は顧客端末２から販売者端末１に対して商品注文を送信する。
【００２３】  顧客５からの商品注文を受けると、販売者４は販売者端末１から顧客端末２に対して、商品の発送通知を行うとともに、顧客５に購入商品を発送する。また、商品の発送通知の後、上記販売者端末１から上記顧客端末２に対して、自画写真募集情報及びモデル募集情報を送信する。
【００２４】  ここで、上記自画写真募集情報は、商品を購入した顧客５に対して、購入した商品を顧客自身あるいは顧客５から借り受けた者が着用し、その着用姿を撮影した自画写真を募集している点、及び応募により送られた自画写真は仮想店舗に所定期間掲載して仮想店舗を訪れた者が等しく見得るようにする点、等に関する情報である。
【００２５】  上記モデル募集情報は、商品を購入した顧客５の中から仮想店舗に掲載される商品を着用する着用モデルを採用する点、この着用モデルとしての採用を希望する場合には上記自画写真の送信時にその旨の意思表示をする点、等に関する情報である。
【００２６】  この自画写真募集に応募した顧客５から自画写真が送られると、上記販売者端末１においてこの自画写真を仮想店舗に掲載する。従って、インターネット３を通じて販売者端末１にアクセスし上記仮想店舗を訪れた者は、該仮想店舗に掲載された各種の商品情報と共に、特定の商品を着用した顧客５の自画写真を見ることができる。
【００２７】  また、自画写真を送信した顧客５のうち、着用モデルとしての採用を希望する旨の意思表示をしたものについては、上記自画写真等に基づく書類選考（ステップＳ１）によって採用者を決定し、この者と専属モデル契約をする（ステップＳ２）。専属モデル契約を締結した後は、販売者４以外の者との契約に基づく外部モデル活動（ステップＳ３）とか、販売者４の商品を着用する自社モデル活動（ステップＳ４）を行う。
【００２８】  なお、仮想店舗に自画写真が掲載された顧客５に対しては、仮想店舗に掲載された商品の購入にのみ使用できる商品券を贈呈する。
【００２９】  このような本願発明に係る商品販売システムによって商品が販売されることで商品の販売促進効果が得られることは上述の通りである。
【産業上の利用可能性】
【００３０】  本願発明は、インターネットを用いた商品販売において、販売促進を図る手法として利用できるものである。
【符号の説明】
【００３１】１    ・・販売者端末
２    ・・顧客端末
３    ・・インターネット
４    ・・販売者
５    ・・顧客
１１  ・・サーバ
１２  ・・顧客情報管理手段
１３  ・・商品情報管理手段
【図１】
2013114665.tif 000003